(57)【特許請求の範囲】
【請求項１】
コンテンツデータが格納されたサーバ記憶部を有するコンテンツサーバと、コンテンツサーバと通信確立してサーバ記憶部から利用者の所望するコンテンツデータを取得すると共に、取得したコンテンツデータの再生を行う再生端末とを備えるコンテンツ再生システムにおいて、
利用者の本人認証を行うための登録認証データ、再生端末を識別するための端末識別データを保持する管理記憶部と、
前記再生端末から利用者の本人認証を行うための認証データを受信すると、前記認証データに基づいて、前記管理記憶部を参照し、一致する登録認証データが格納されていると、認証有効と判定する認証部と、
前記認証部が認証有効と判定すると、前記端末識別データを前記コンテンツサーバに送信する送信部とを含み、
前記コンテンツサーバは、
前記送信部から端末識別データを受信すると、前記端末識別データを端末認証データとして前記サーバ記憶部に格納するデータ記録部と、
前記再生端末の端末認証を行うべく、前記再生端末から端末識別データを受信すると、該端末識別データに基づいて、前記サーバ記憶部を参照し、一致する端末認証データが格納されていると、端末認証有効と判定する端末認証部と、
前記端末認証部が端末認証有効と判定すると、前記再生端末との通信を確立させる通信制御部とを備えることを特徴とするコンテンツ再生システム。
【請求項２】
前記管理記憶部は、再生端末を識別するための端末識別データ毎に通信すべきコンテンツサーバの通信アドレスを含む通信先データが対応づけられた通信先対応テーブルを保持し、
前記コンテンツサーバと前記再生端末との通信を管理する登録ＤＢサーバを備え、
前記登録ＤＢサーバは、
前記管理記憶部、前記認証部および前記送信部を含み、
更に、前記認証部が認証有効と判定すると、前記再生端末から受信した端末識別データに基づいて、前記管理記憶部の通信先対応テーブルを参照し、対応する通信先データを特定するサーバ特定部を備え、
前記送信部は、前記サーバ特定部が通信先データを特定すると、特定された通信先データを前記再生端末に送信すると共に、前記端末識別データを前記コンテンツサーバに送信することを特徴とする請求項１記載のコンテンツ再生システム。
【請求項３】
コンテンツデータが格納されたサーバ記憶部を有するコンテンツサーバと、コンテンツサーバと通信確立してサーバ記憶部から利用者の所望するコンテンツデータを取得すると共に、取得したコンテンツデータの再生を行う再生端末とを有するコンテンツ再生システムが備える登録ＤＢサーバであって、
前記登録ＤＢサーバは、
利用者の本人認証を行うための登録認証データ、再生端末を識別するための端末識別データ毎に通信すべきコンテンツサーバの通信アドレスを含む通信先データが対応づけられた通信先対応テーブルを保持する管理記憶部と、
前記再生端末から利用者の本人認証を行うための認証データを受信すると、前記認証データに基づいて、前記管理記憶部を参照し、一致する登録認証データが格納されていると、認証有効と判定する認証部と、
前記認証部が認証有効と判定すると、前記再生端末から受信した端末識別データに基づいて、前記管理記憶部の通信先対応テーブルを参照し、対応する通信先データを特定するサーバ特定部と、
前記サーバ特定部が通信先データを特定すると、特定された通信先データを前記再生端末に送信すると共に、前記端末識別データを前記コンテンツサーバに送信する送信部とを備えることを特徴とする登録ＤＢサーバ。
【請求項４】
前記再生端末は、
コンテンツを識別するためのコンテンツ識別データが付与されたコンテンツデータが格納されている記憶部と、
前記コンテンツサーバとの通信確立が完了すると、コンテンツデータの再生及び記録のいずれかの制御動作の選択を指示する動作指示部と、
コンテンツデータの記録を示す制御動作の指示を受けると、少なくとも記録対象のコンテンツデータを選択すべく、コンテンツデータを識別するためのコンテンツ識別データの入力を指示する選択指示部と、
前記入力されたコンテンツ識別データに基づいて、前記記憶部を参照し、一致するコンテンツ識別データが付与されたコンテンツデータを特定するデータ特定部と、
前記データ特定部がコンテンツデータを特定すると、前記特定されたコンテンツデータを前記コンテンツサーバに送信する送信制御部とを備え、
前記データ記録部は、前記再生端末から前記コンテンツデータを受信すると、前記コンテンツデータを前記サーバ記憶部に格納することを特徴とする請求項１及び２のいずれかに記載のコンテンツ再生システム。
【請求項５】
前記再生端末は、
前記コンテンツサーバとの通信確立が完了すると、コンテンツデータの再生及び記録のいずれかの制御動作の選択を指示する動作指示部と、
コンテンツデータの記録を示す制御動作の指示を受けると、コンテンツの撮影を開始する撮影部と、
前記撮影部により逐次撮影されるデータに少なくともコンテンツ種別に応じた符号化処理を行い、符号化出力データを生成するコーデック部と、
前記コーデック部が符号化出力データを生成する毎に、生成された符号化出力データを前記コンテンツサーバに順次送信する送信制御部とを備え、
前記データ記録部は、受信した符号化出力データからコンテンツデータを生成すると共に、生成したコンテンツデータを前記サーバ記憶部に格納することを特徴とする請求項１及び２のいずれかに記載のコンテンツ再生システム。
【発明の詳細な説明】
【技術分野】
【０００１】
本発明は、コンテンツ配信会社等から購入された音楽、動画等のコンテンツデータが格納されたメモリを有する自宅のコンテンツサーバから、利用者の所望するコンテンツデータを取得すると共に、取得したコンテンツデータの再生を行う再生端末を有するコンテンツ再生システムに関し、特に、購入者以外の第三者の再生端末にコンテンツデータが複製されるのを防止するコンテンツ再生システムに関する。
【背景技術】
【０００２】
コンテンツ配信会社等から購入された音楽、動画等のコンテンツデータが格納されたメモリを有する自宅のコンテンツサーバから、利用者の所望するコンテンツデータを取得すると共に、取得したコンテンツデータの再生を行う再生端末を有するコンテンツ再生システムが知られている。例えば、下記特許文献１では、車中にて音楽を鑑賞すべく、運転手が車載されている再生端末により、所望する音楽のコンテンツデータを自宅のコンテンツサーバから取得させ、該取得した音楽のコンテンツデータを再生させるコンテンツ再生システムが開示されている。
【０００３】
また、例えば、ｉＰｏｄ（登録商標）等のように、所望の音楽、動画等のコンテンツデータをメモリに格納し、屋外でコンテンツの鑑賞を行うことができる再生端末が知られている（下記非特許文献２参照）。
【０００４】
さらに、インターネット等のネットワークを介して、音楽、動画等のコンテンツデータを再生する際に、コンテンツデータを逐次受信しながら、順次再生を行うストリーミング配信技術も知られている。
【特許文献１】特開２００４−３７９８１号公報
【非特許文献２】Ａｐｐｌｅ  Ｃｏｍｐｕｔｅｒ，Ｉｎｃ．  ｉＰｏｄ．［ｏｎｌｉｎｅ］．Ａｐｐｌｅ  Ｃｏｍｐｕｔｅｒ，Ｉｎｃ，２００５．［ｒｅｔｒｉｅｖｅｄ  ｏｎ  ２００５−１１−２９］．Ｒｅｔｒｉｖｅｄ  ｆｒｏｍ  ｔｈｅ  Ｉｎｔｅｒｎｅｔ：＜ＵＲＬ：ｈｔｔｐ：／／ｗｗｗ．ａｐｐｌｅ．ｃｏｍ／ｊｐ／ｉｐｏｄ／ｆｅａｔｕｒｅｓ．ｈｔｍｌ＞
【発明の開示】
【発明が解決しようとする課題】
【０００５】
しかしながら、上記したコンテンツ再生システムには、次のような解決すべき課題があった。即ち、コンテンツ配信会社等から購入した音楽、動画等のコンテンツデータがコンテンツサーバのメモリに複製されると、コンテンツデータを購入した利用者以外の第三者の再生端末に対しても、コンテンツサーバからコンテンツデータの送信が可能となるため、コンテンツデータを容易に複製できることから、コンテンツデータの著作権が侵害される虞があった。
【０００６】
また、上記したような再生端末では、例えば、動画等のようなデータ容量が大きいコンテンツデータを格納するためには、多大な容量のメモリを具備することが必要となり、再生端末が大型化してしまう問題があった。
【課題を解決するための手段】
【０００７】
本発明は、以上の点を解決するために、次の構成を採用する。
〈構成１〉
コンテンツデータが格納されたサーバ記憶部を有するコンテンツサーバと、コンテンツサーバと通信確立してサーバ記憶部から利用者の所望するコンテンツデータを取得すると共に、取得したコンテンツデータの再生を行う再生端末とを備えるコンテンツ再生システムにおいて、利用者の本人認証を行うための登録認証データ、再生端末を識別するための端末識別データを保持する管理記憶部と、前記再生端末から利用者の本人認証を行うための認証データを受信すると、前記認証データに基づいて、前記管理記憶部を参照し、一致する登録認証データが格納されていると、認証有効と判定する認証部と、前記認証部が認証有効と判定すると、前記端末識別データを前記コンテンツサーバに送信する送信部とを含み、前記コンテンツサーバは、前記送信部から端末識別データを受信すると、前記端末識別データを端末認証データとして前記サーバ記憶部に格納するデータ記録部と、前記再生端末の端末認証を行うべく、前記再生端末から端末識別データを受信すると、該端末識別データに基づいて、前記サーバ記憶部を参照し、一致する端末認証データが格納されていると、端末認証有効と判定する端末認証部と、前記端末認証部が端末認証有効と判定すると、前記再生端末との通信を確立させる通信制御部とを備えることを特徴とする。
〈構成２〉
構成１のコンテンツ再生システムにおいて、前記管理記憶部は、再生端末を識別するための端末識別データ毎に通信すべきコンテンツサーバの通信アドレスを含む通信先データが対応づけられた通信先対応テーブルを保持し、前記コンテンツサーバと前記再生端末との通信を管理する登録ＤＢサーバを備え、前記登録ＤＢサーバは、前記管理記憶部、前記認証部および前記送信部を含み、更に、前記認証部が認証有効と判定すると、前記再生端末から受信した端末識別データに基づいて、前記管理記憶部の通信先対応テーブルを参照し、対応する通信先データを特定するサーバ特定部を備え、前記送信部は、前記サーバ特定部が通信先データを特定すると、特定された通信先データを前記再生端末に送信すると共に、前記端末識別データを前記コンテンツサーバに送信することを特徴とする。
〈構成３〉
コンテンツデータが格納されたサーバ記憶部を有するコンテンツサーバと、コンテンツサーバと通信確立してサーバ記憶部から利用者の所望するコンテンツデータを取得すると共に、取得したコンテンツデータの再生を行う再生端末とを有するコンテンツ再生システムが備える登録ＤＢサーバであって、前記登録ＤＢサーバは、利用者の本人認証を行うための登録認証データ、再生端末を識別するための端末識別データ毎に通信すべきコンテンツサーバの通信アドレスを含む通信先データが対応づけられた通信先対応テーブルを保持する管理記憶部と、前記再生端末から利用者の本人認証を行うための認証データを受信すると、前記認証データに基づいて、前記管理記憶部を参照し、一致する登録認証データが格納されていると、認証有効と判定する認証部と、前記認証部が認証有効と判定すると、前記再生端末から受信した端末識別データに基づいて、前記管理記憶部の通信先対応テーブルを参照し、対応する通信先データを特定するサーバ特定部と、前記サーバ特定部が通信先データを特定すると、特定された通信先データを前記再生端末に送信すると共に、前記端末識別データを前記コンテンツサーバに送信する送信部とを備えることを特徴とする。
〈構成４〉
構成１または２のコンテンツ再生システムにおいて、前記再生端末は、コンテンツを識別するためのコンテンツ識別データが付与されたコンテンツデータが格納されている記憶部と、前記コンテンツサーバとの通信確立が完了すると、コンテンツデータの再生及び記録のいずれかの制御動作の選択を指示する動作指示部と、コンテンツデータの記録を示す制御動作の指示を受けると、少なくとも記録対象のコンテンツデータを選択すべく、コンテンツデータを識別するためのコンテンツ識別データの入力を指示する選択指示部と、前記入力されたコンテンツ識別データに基づいて、前記記憶部を参照し、一致するコンテンツ識別データが付与されたコンテンツデータを特定するデータ特定部と、前記データ特定部がコンテンツデータを特定すると、前記特定されたコンテンツデータを前記コンテンツサーバに送信する送信制御部とを備え、前記データ記録部は、前記再生端末から前記コンテンツデータを受信すると、前記コンテンツデータを前記サーバ記憶部に格納することを特徴とする。
〈構成５〉
構成１または２のコンテンツ再生システムにおいて、前記再生端末は、前記コンテンツサーバとの通信確立が完了すると、コンテンツデータの再生及び記録のいずれかの制御動作の選択を指示する動作指示部と、コンテンツデータの記録を示す制御動作の指示を受けると、コンテンツの撮影を開始する撮影部と、前記撮影部により逐次撮影されるデータに少なくともコンテンツ種別に応じた符号化処理を行い、符号化出力データを生成するコーデック部と、前記コーデック部が符号化出力データを生成する毎に、生成された符号化出力データを前記コンテンツサーバに順次送信する送信制御部とを備え、前記データ記録部は、受信した符号化出力データからコンテンツデータを生成すると共に、生成したコンテンツデータを前記サーバ記憶部に格納することを特徴とする。
【発明の効果】
【０００８】
本発明のコンテンツ再生システムでは、コンテンツデータを購入した利用者が再生端末によりコンテンツ再生を行う場合、利用者の本人認証を行うと共に、再生端末からの通信確立要求時に、コンテンツサーバが再生端末の端末認証を行い、本人認証および端末認証が有効である再生端末とのみ通信確立するようにしたので、コンテンツデータを購入した利用者以外の第三者の再生端末に対して、コンテンツサーバからコンテンツデータが送信されるのを防止できる。従って、第三者の再生端末にコンテンツデータが送信されることにより、コンテンツデータが複製され、コンテンツデータの著作権が侵害されるのを防止できる。
【０００９】
また、再生端末によりコンテンツサーバからコンテンツデータを取得し、再生を行うようにしたので、例えば、動画等のようなデータ容量が大きいコンテンツデータを格納すべく、再生端末に多大な容量の記憶部を具備する必要がなく、再生端末が大型化するのを防止できる。
【発明を実施するための最良の形態】
【００１０】
以下、本発明の一実施形態を図を用いて詳細に説明する。
【実施例】
【００１１】
〈実施例の構成〉
図１は、本発明のコンテンツ再生システムを示すブロック構成図である。
【００１２】
図１に示すように、本発明のコンテンツ再生システムは、再生端末１０、登録ＤＢサーバ４０、コンテンツサーバ３０から構成され、登録ＤＢサーバ４０、コンテンツサーバ３０はインターネット５０を介して接続されている。また、再生端末１０は、インターネット５０を介して登録ＤＢサーバ４０、コンテンツサーバ３０にそれぞれ無線通信可能に接続されている。
【００１３】
再生端末１０は、音楽、動画等のコンテンツデータを再生するために利用者が操作する端末であり、制御部１１、プッシュボタン等からなる入力部１２、液晶等からなる表示部１３、記憶部１４、コーデック部１５、送信制御部１６、再生部１７、スピーカ部１８、データ特定部１９を有している。
【００１４】
記憶部１４は、ＨＤＤ等から構成されるメモリであり、例えば、シリアル番号等のような、再生端末１０を識別するための端末識別データ、登録ＤＢサーバ４０のＩＰアドレス等を含む通信先データを保持している。
【００１５】
また、記憶部１４には、例えば、利用者が再生端末１０の図示しないマイクにより、議事録等を録音して自ら作成したコンテンツデータも格納され、各コンテンツデータには、例えば、コンテンツ名等のような、各コンテンツを識別するためのコンテンツ識別データが付与されていることとする。
【００１６】
登録ＤＢサーバ４０は、コンテンツ配信会社等が管理し、コンテンツデータを購入した利用者の再生端末１０と、該再生端末１０と通信すべきコンテンツサーバ３０との通信管理を行うサーバであり、制御部４１、管理記憶部４２、認証部４３、サーバ特定部４４、送信部４５を有している。
【００１７】
管理記憶部４２は、ＨＤＤ等から構成されるメモリであり、再生端末１０の利用者を認証すべく、予め登録された利用者のＩＤおよびパスワードからなる登録認証データ、再生端末１０の端末識別データ毎に通信すべきコンテンツサーバ３０のＩＰアドレス等を含む通信先データが対応づけられた通信先対応テーブルを予め保持している。本実施例では、この登録認証データおよび通信先対応テーブルは、再生端末１０の利用者がコンテンツ配信会社等からコンテンツデータを購入した際に、登録ＤＢサーバ４０の管理者により、図示しない管理者端末を介して管理記憶部４２に登録されることとする。
【００１８】
コンテンツサーバ３０は、再生端末１０の利用者が所有するサーバであり、音楽、動画等のコンテンツデータを再生端末１０に対して提供するサーバである。このコンテンツサーバ３０は、制御部３１、サーバ記憶部３２、端末認証部３３、選択指示部３４、データ特定部３５、コーデック部３６、通信制御部３７、データ記録部３８を有している。
【００１９】
サーバ記憶部３２は、ＨＤＤ等から構成されるメモリであり、コンテンツサーバ３０を識別するためのサーバ識別データ、音楽、動画等のコンテンツデータを保持している。各コンテンツデータには、例えば、コンテンツ名等のような、各コンテンツを識別するためのコンテンツ識別データが付与されている。また、各コンテンツデータは、再生端末１０の利用者が予め図示しないコンテンツ配信会社等から購入することにより、コンテンツ配信会社等の図示しないコンテンツ配信サーバからコンテンツサーバ３０に送信され、サーバ記憶部３２に格納されるデータである。
【００２０】
以下、再生端末１０により、音楽、動画等のコンテンツデータが再生されるまでの再生端末１０、登録ＤＢサーバ４０、コンテンツサーバ３０の相互関連について説明を行う。
【００２１】
再生端末１０の制御部１１は、いわゆるＣＰＵとして再生端末１０を制御する部であり、表示部１３に、初期画面として、再生端末１０の利用者のＩＤおよびパスワードからなる認証データを入力するための入力画面を表示させている。
【００２２】
利用者が入力画面にしたがって、入力部１２を介して、認証データを入力すると、制御部１１は入力された認証データを送信制御部１６に転送する。
【００２３】
送信制御部１６は、登録ＤＢサーバ４０又はコンテンツサーバ３０との通信を制御する部であり、認証データを受けると、記憶部１４を参照し、端末識別データを取得すると共に、記憶部１４の通知先データに基づいて、認証データおよび端末識別データを登録ＤＢサーバ４０に送信する。
【００２４】
登録ＤＢサーバ４０の制御部４１は、いわゆるＣＰＵとして、登録ＤＢサーバ４０を制御する部であり、認証データおよび端末識別データを受信すると、端末識別データを管理記憶部４２に一時格納すると共に、認証データを認証部４３に転送する。
【００２５】
認証部４３は、利用者の本人認証を行う部であり、認証データを受けると、認証データに基づいて、管理記憶部４２を参照し、認証データに一致する登録認証データが格納されていると、認証有効と判定し、認証データに一致する登録認証データが格納されていないと、認証無効と判定する。
【００２６】
制御部４１は、認証部４３が認証無効と判定すると、認証が失敗したことを示す認証失敗信号を再生端末１０に送信する。
【００２７】
再生端末１０の制御部１１は、認証失敗信号を受信すると、認証が失敗したことを示す認証失敗画面情報を生成すると共に、生成された認証失敗画面情報に基づいて、表示部１３に認証失敗画面を表示させる。
【００２８】
一方、認証部４３が認証有効と判定すると、制御部４１は、管理記憶部４２に一時格納されている端末識別データをサーバ特定部４４に転送する。
【００２９】
サーバ特定部４４は、再生端末１０が通信すべきコンテンツサーバ３０を特定するための部であり、端末識別データを受けると、端末識別データに基づいて、管理記憶部４２の通信先対応テーブルを参照し、対応するコンテンツサーバ３０の通信先データを特定する。
【００３０】
送信部４５は、再生端末１０又はコンテンツサーバ３０とのデータ通信を制御する部であり、サーバ特定部４４が通信先データを特定すると、特定された通信先データを再生端末１０に送信する。この際、送信部４５は、管理記憶部４２の端末識別データをコンテンツサーバ３０に送信する。
【００３１】
コンテンツサーバ３０の制御部３１は、端末識別データを受信すると、端末識別データをデータ記録部３８に転送する。
【００３２】
データ記録部３８は、受け付けたデータをサーバ記憶部３２に記録する部であり、端末識別データを受けると、端末識別データを後述する再生端末１０の端末認証を行うための端末認証データとしてサーバ記憶部３２に格納する。
【００３３】
一方、再生端末１０の制御部１１は、通信先データを受信すると、コンテンツサーバ３０と通信確立すべく、通信先データを送信制御部１６に転送する。
【００３４】
送信制御部１６は、通信先データを受けると、記憶部１４を参照し、端末識別データを取得すると共に、通信先データに基づいたコンテンツサーバ３０に取得した端末識別データを送信する。
【００３５】
コンテンツサーバ３０の制御部３１は、いわゆるＣＰＵとして、コンテンツサーバ３０を制御する部であり、端末識別データを受信すると、端末識別データを端末認証部３３に転送する。
【００３６】
端末認証部３３は、通信確立の要求元である再生端末１０の端末認証を行う部であり、端末識別データを受けると、端末識別データに基づいて、サーバ記憶部３２を参照し、端末識別データに一致する端末識別データが格納されていると、認証有効と判定し、端末識別データに一致する端末識別データが格納されていないと、認証無効と判定する。
【００３７】
制御部３１は、端末認証部３３が認証無効と判定すると、認証が失敗したことを示す認証失敗信号を再生端末１０に送信する。
【００３８】
再生端末１０の制御部１１は、認証失敗信号を受信すると、認証が失敗したことを示す認証失敗画面情報を生成すると共に、生成された認証失敗画面情報に基づいて、表示部１３に認証失敗画面を表示させる。
【００３９】
一方、端末認証部３３が認証有効と判定すると、制御部３１は、認証が成功したことを示す認証成功信号を通信制御部３７へ転送する。
【００４０】
通信制御部３７は、再生端末１０又は登録ＤＢサーバ４０との通信を制御する部であり、認証成功信号を受けると、再生端末１０との通信確立を行うと共に、通信確立が完了したことを示す通信確立完了信号を再生端末１０に送信する。
【００４１】
再生端末１０の制御部１１は、通信確立完了信号を受信すると、通信確立完了信号を動作指示部２０に転送する。
【００４２】
動作指示部２０は、利用者からコンテンツデータの「再生」および「記録」のいずれかの制御動作の選択を指示する部であり、通信確立完了信号を受けると、利用者にコンテンツデータの「再生」および「記録」のいずれかの制御動作を選択入力させるための制御選択画面情報を生成すると共に、生成された制御選択画面情報に基づいて、制御選択画面を表示部１３に表示させる。
【００４３】
利用者が制御選択画面を参照して、入力部１２を介して、コンテンツデータの「再生」を選択入力すると、制御部１１は、選択されたコンテンツデータの再生を指示するための制御指示信号を生成すると共に、生成された制御指示信号をコンテンツサーバ３０に送信し、コンテンツデータの「記録」を選択入力すると、コンテンツデータの「記録」が選択されたことを検知し、選択されたコンテンツデータの記録を指示するための制御指示信号を生成すると共に、生成された制御指示信号を選択指示部２１に転送する。以降、利用者からの選択に応じてコンテンツ再生および記録のいずれかが実行される。
【００４４】
ここで、まず、利用者が制御選択画面により、入力部１２を介して、図示しないコンテンツ配信会社から購入し、コンテンツサーバ３０のサーバ記憶部３２に格納されているコンテンツデータの「再生」を選択入力した場合について説明を行う。
【００４５】
利用者が制御選択画面を参照して、入力部１２を介して、コンテンツデータの「再生」を選択入力すると、制御部１１は、コンテンツデータの再生を指示するための制御指示信号を生成すると共に、送信制御部１６を介して、生成された制御指示信号をコンテンツサーバ３０に送信する。
【００４６】
コンテンツサーバ３０の制御部３１は、制御指示信号を受信すると、制御指示信号を選択指示部３４に転送する。
【００４７】
選択指示部３４は、再生対象となるコンテンツを識別するためのコンテンツ識別データ等の入力を指示する部であり、コンテンツデータの再生を指示する制御指示信号を受けると、利用者に対し、サーバ記憶部３２のコンテンツデータから利用者が再生したいコンテンツを識別するためのコンテンツ識別データ、再生対象のコンテンツが音楽及び動画のいずれかを示すコンテンツ種別データ、再生対象のコンテンツに対する符号化方式を示す符号化指示データを選択させるための再生指示選択画面情報を生成すると共に、生成された再生指示選択画面情報を再生端末１０に送信する。
【００４８】
再生端末１０の制御部１１は、再生指示選択画面情報を受信すると、再生指示選択画面情報に基づいて、表示部１３に再生指示選択画面を表示させる。
【００４９】
引き続き、利用者が再生指示選択画面を参照して、入力部１２を介して、上述したコンテンツ識別データ、コンテンツ種別データ、符号化指示データをそれぞれ選択入力すると、制御部１１は、送信制御部１６を介して、選択された各データをコンテンツサーバ３０に送信する。
【００５０】
コンテンツサーバ３０の制御部３１は、上記選択された各データを受信すると、各データをサーバ記憶部３２に一時格納すると共に、まず、コンテンツ識別データをデータ特定部３５に転送する。
【００５１】
データ特定部３５は、選択されたコンテンツデータを特定する部であり、コンテンツ識別データを受けると、コンテンツ識別データに基づいて、サーバ記憶部３２を参照し、一致するコンテンツ識別データが付与されたコンテンツデータを特定する。
【００５２】
コーデック部３６は、データの符号化又は復号化を行う部であり、データ特定部３５がコンテンツデータを特定すると、サーバ記憶部３２からコンテンツ種別データ、符号化指示データを取得すると共に、取得した両データに基づいて、特定されたコンテンツデータの符号化処理を実行し、符号化出力データを生成する。
【００５３】
制御部３１は、コーデック部３６が符号化出力データを生成すると、符号化出力データを通信制御部３７に転送する。
【００５４】
通信制御部３７は、符号化出力データを受けると、サーバ記憶部３２のコンテンツ種別データ、符号化指示データを付与した符号化出力データを再生端末１０に送信する。
【００５５】
再生端末１０の送信制御部１６は、上記各データを受信すると、受信した各データをコーデック部１５に転送する。
【００５６】
コーデック部１５は、データの符号化又は復号化を行う部であり、符号化出力データを受けると、付与されたコンテンツ種別データ及び符号化指示データに基づいて、符号化出力データの復号化処理を行い、出力データを生成する。
【００５７】
制御部１１は、コーデック部１５が出力データを生成すると、生成された出力データを再生部１７に転送する。
【００５８】
再生部１７は、受け付けた出力データに応じた方式で再生制御を行う部であり、出力データを受けると、出力データに基づいて、利用者により選択されたコンテンツのスピーカ部１８を介した音声再生、或いは、表示部１３及びスピーカ部１８を介した動画再生を実行する。
【００５９】
このように、コンテンツデータを購入した利用者が再生端末１０によりコンテンツ再生を行う場合、登録ＤＢサーバ４０が利用者の本人認証を行い、本人認証が有効であると、利用者の再生端末１０が通信確立すべきコンテンツサーバ３０を再生端末１０に通知し、再生端末１０からの通信確立要求時に、コンテンツサーバ３０が再生端末１０の端末認証を行い、端末認証が有効である再生端末１０とのみ通信確立するようにしたので、コンテンツデータを購入した利用者以外の第三者の再生端末に対して、コンテンツサーバ３０からコンテンツデータが送信されるのを防止できる。従って、第三者の再生端末にコンテンツデータが送信されることにより、コンテンツデータが複製され、コンテンツデータの著作権が侵害されるのを防止できる。
【００６０】
次に、利用者が制御選択画面により、入力部１２を介して、例えば、記憶部１４に格納されている自ら作成したコンテンツデータの「記録」を選択入力した場合について説明を行う。
【００６１】
利用者が制御選択画面を参照して、入力部１２を介して、コンテンツデータの「記録」を選択入力すると、制御部１１は、コンテンツデータの「記録」が選択されたことを検知し、選択されたコンテンツデータの記録を指示するための制御指示信号を生成すると共に、生成された制御指示信号を選択指示部２１に転送する。
【００６２】
選択指示部２１は、記録対象となるコンテンツを識別するためのコンテンツ識別データ等の入力を指示する部であり、制御指示信号を受けると、利用者に対し、記憶部１４のコンテンツデータから利用者が記録したいコンテンツを識別するためのコンテンツ識別データ、記録対象のコンテンツが音楽及び動画のいずれかを示すコンテンツ種別データ、記録対象のコンテンツに対する符号化方式を示す符号化指示データを選択入力させるための記録指示選択画面情報を生成し、生成された記録指示選択画面情報に基づいて、記録指示選択画面を表示部１３に表示させる。
【００６３】
利用者が記録指示選択画面を参照して、入力部１２を介して、上述した記録したいコンテンツのコンテンツ識別データ、コンテンツ種別データ、符号化指示データをそれぞれ選択入力すると、制御部１１は、まず、上記選択入力された各データを記憶部１４に一時格納すると共に、コンテンツ識別データをデータ特定部１９に転送する。
【００６４】
データ特定部１９は、記録対象のコンテンツデータを特定する部であり、コンテンツ識別データを受けると、コンテンツ識別データに基づいて、記憶部１４を参照し、一致するコンテンツ識別データが付与されたコンテンツデータを特定する。
【００６５】
コーデック部１５は、データ特定部１９がコンテンツデータを特定すると、記憶部１４からコンテンツ種別データ、符号化指示データを取得すると共に、取得した両データに基づいて、特定されたコンテンツデータの符号化処理を実行し、符号化出力データを生成する。
【００６６】
制御部１１は、コーデック部１５が符号化出力データを生成すると、符号化出力データを送信制御部１６に転送する。
【００６７】
送信制御部１６は、符号化出力データを受けると、記憶部１４のコンテンツ種別データ、符号化指示データを付与した符号化出力データをコンテンツサーバ３０に送信する。
【００６８】
コンテンツサーバ３０の制御部３１は、符号化指示データを受信すると、符号化出力データをデータ記録部３８に転送する。
【００６９】
データ記録部３８は、受け付けたデータをサーバ記憶部３２に記録する部であり、符号化指示データを受けると、受け付けた符号化出力データをサーバ記憶部３２に記録する。
【００７０】
制御部３１は、データ記録部３８がサーバ記憶部３２に符号化出力データを記録すると、サーバ記憶部３２への記録が完了したことを示す記録完了信号を再生端末１０に送信する。
【００７１】
再生端末１０の制御部１１は、記録完了信号を受信すると、記録が完了したことを示す記録完了画面情報を生成すると共に、生成された記録完了画面情報に基づいて、記録完了画面を表示部１３に表示させる。これにより、再生端末１０の利用者は、選択したコンテンツデータがコンテンツサーバ３０のサーバ記憶部３２に記録されたことを確認できる。
【００７２】
〈実施例の動作〉
以下、本実施例のコンテンツ再生システムの動作について説明を行う。
【００７３】
図２は、本実施例のコンテンツ再生システムの動作フローチャートである。
【００７４】
再生端末１０の制御部１１は、初期画面として、表示部１３に再生端末１０の利用者のＩＤおよびパスワードからなる認証データを入力するための入力画面を表示させている（Ｓ１）。
【００７５】
利用者が入力画面にしたがって、入力部１２を介して、認証データを入力すると（Ｓ２）、制御部１１は入力された認証データを送信制御部１６に転送する。
【００７６】
送信制御部１６は、認証データを受けると、記憶部１４を参照し、端末識別データを取得すると共に、記憶部１４の通知先データに基づいて、認証データおよび端末識別データを登録ＤＢサーバ４０に送信する（Ｓ３）。
【００７７】
登録ＤＢサーバ４０の制御部４１は、認証データおよび端末識別データを受信すると、端末識別データを管理記憶部４２に一時格納すると共に、認証データを認証部４３に転送する。
【００７８】
認証部４３は、認証データを受けると、認証データに基づいて、管理記憶部４２を参照し、認証データに一致する登録認証データが格納されていると、認証有効と判定し、認証データに一致する登録認証データが格納されていないと、認証無効と判定する（Ｓ４）。
【００７９】
制御部４１は、認証部４３が認証無効と判定すると、認証が失敗したことを示す認証失敗信号を再生端末１０に送信する。
【００８０】
再生端末１０の制御部１１は、認証失敗信号を受信すると、認証が失敗したことを示す認証失敗画面情報を生成すると共に、生成された認証失敗画面情報に基づいて、表示部１３に認証失敗画面を表示させる（Ｓ５）。
【００８１】
一方、認証部４３が認証有効と判定すると、制御部４１は、管理記憶部４２に一時格納されている端末識別データをサーバ特定部４４に転送する。
【００８２】
サーバ特定部４４は、端末識別データを受けると、端末識別データに基づいて、管理記憶部４２の通信先対応テーブルを参照し、対応するコンテンツサーバ３０の通信先データを特定する（Ｓ６）。
【００８３】
送信部４５は、サーバ特定部４４が通信先データを特定すると、特定された通信先データを再生端末１０に送信する（Ｓ７）。この際、送信部４５は、管理記憶部４２の端末識別データをコンテンツサーバ３０に送信する。
【００８４】
コンテンツサーバ３０の制御部３１は、端末識別データを受信すると、端末識別データをデータ記録部３８に転送する。
【００８５】
データ記録部３８は、受け付けたデータをサーバ記憶部３２に記録する部であり、端末識別データを受けると、端末識別データを後述する再生端末１０の端末認証を行うための端末認証データとしてサーバ記憶部３２に格納する。
【００８６】
一方、再生端末１０の制御部１１は、通信先データを受信すると、コンテンツサーバ３０と通信確立すべく、通信先データを送信制御部１６に転送する。
【００８７】
送信制御部１６は、通信先データを受けると、記憶部１４を参照し、端末識別データを取得すると共に、通信先データに基づいたコンテンツサーバ３０に取得した端末識別データを送信する。
【００８８】
コンテンツサーバ３０の制御部３１は、端末識別データを受信すると、端末識別データを端末認証部３３に転送する。
【００８９】
端末認証部３３は、端末識別データを受けると、端末識別データに基づいて、サーバ記憶部３２を参照し、端末識別データに一致する端末識別データが格納されていると、認証有効と判定し、端末識別データに一致する端末識別データが格納されていないと、認証無効と判定する（Ｓ８）。
【００９０】
制御部３１は、端末認証部３３が認証無効と判定すると、認証が失敗したことを示す認証失敗信号を再生端末１０に送信する。
【００９１】
再生端末１０の制御部１１は、認証失敗信号を受信すると、認証が失敗したことを示す認証失敗画面情報を生成すると共に、生成された認証失敗画面情報に基づいて、表示部１３に認証失敗画面を表示させる（Ｓ５）。
【００９２】
一方、端末認証部３３が認証有効と判定すると、制御部３１は、認証が成功したことを示す認証成功信号を通信制御部３７へ転送する。
【００９３】
通信制御部３７は、認証成功信号を受けると、再生端末１０との通信確立を行うと共に（Ｓ９）、通信確立が完了したことを示す通信確立完了信号を再生端末１０に送信する。
【００９４】
再生端末１０の制御部１１は、通信確立完了信号を受信すると、通信確立完了信号を動作指示部２０に転送する。
【００９５】
動作指示部２０は、通信確立完了信号を受けると、利用者にコンテンツデータの「再生」および「記録」のいずれかの制御動作を選択入力させるための制御選択画面情報を生成すると共に、生成された制御選択画面情報に基づいて、制御選択画面を表示部１３に表示させる（Ｓ１０）。
【００９６】
引き続き、利用者が制御選択画面を参照して、入力部１２を介して、コンテンツデータの「再生」を選択入力すると、制御部１１は、選択されたコンテンツデータの再生を指示するための制御指示信号を生成すると共に、生成された制御指示信号をコンテンツサーバ３０に送信し、コンテンツデータの「記録」を選択入力すると、制御部１１は、コンテンツデータの「記録」が選択されたことを検知し、選択されたコンテンツデータの記録を指示するための制御指示信号を生成すると共に、生成された制御指示信号を選択指示部２１に転送する。以降、利用者からの選択に応じてコンテンツ再生および記録のいずれかが実行される（Ｓ１１）。
【００９７】
ここで、まず、利用者が制御選択画面により、入力部１２を介して、図示しないコンテンツ配信会社から購入し、コンテンツサーバ３０のサーバ記憶部３２に格納されているコンテンツデータの「再生」を選択した場合について説明を行う。
【００９８】
図３は、本実施例のコンテンツ再生システムの再生動作フローチャートである。
【００９９】
利用者が制御選択画面を参照して、入力部１２を介して、コンテンツデータの「再生」を選択入力すると（Ｓ１０１）、制御部１１は、コンテンツデータの再生を指示するための制御指示信号を生成すると共に、送信制御部１６を介して、生成された制御指示信号をコンテンツサーバ３０に送信する（Ｓ１０２）。
【０１００】
コンテンツサーバ３０の制御部３１は、制御指示信号を受信すると、制御指示信号を選択指示部３４に転送する。
【０１０１】
選択指示部３４は、コンテンツデータの再生を指示する制御指示信号を受けると、引き続き、利用者に対し、サーバ記憶部３２のコンテンツデータから利用者が再生したいコンテンツを識別するためのコンテンツ識別データ、再生対象のコンテンツが音楽及び動画のいずれかを示すコンテンツ種別データ、再生対象のコンテンツに対する符号化方式を示す符号化指示データを選択させるための再生指示選択画面情報を生成すると共に、生成された再生指示選択画面情報を再生端末１０に送信する（Ｓ１０３）。
【０１０２】
再生端末１０の制御部１１は、再生指示選択画面情報を受信すると、再生指示選択画面情報に基づいて、表示部１３に再生指示選択画面を表示させる（Ｓ１０４）。
【０１０３】
引き続き、利用者が再生指示選択画面を参照して、入力部１２を介して、上述したコンテンツ識別データ、コンテンツ種別データ、符号化指示データをそれぞれ選択入力すると（Ｓ１０５）、制御部１１は、送信制御部１６を介して、選択入力された各データをコンテンツサーバ３０に送信する（Ｓ１０６）。
【０１０４】
コンテンツサーバ３０の制御部３１は、上記選択入力された各データを受信すると、各データをサーバ記憶部３２に一時格納すると共に、まず、コンテンツ識別データをデータ特定部３５に転送する。
【０１０５】
データ特定部３５は、コンテンツ識別データを受けると、コンテンツ識別データに基づいて、サーバ記憶部３２を参照し、一致するコンテンツ識別データが付与されたコンテンツデータを特定する（Ｓ１０７）。
【０１０６】
コーデック部３６は、データ特定部３５がコンテンツデータを特定すると、サーバ記憶部３２からコンテンツ種別データ、符号化指示データを取得すると共に、取得した両データに基づいて、特定されたコンテンツデータの符号化処理を実行し、符号化出力データを生成する（Ｓ１０８）。
【０１０７】
制御部３１は、コーデック部３６が符号化出力データを生成すると、符号化出力データを通信制御部３７に転送する。
【０１０８】
通信制御部３７は、符号化出力データを受けると、サーバ記憶部３２のコンテンツ種別データ、符号化指示データを付与した符号化出力データを再生端末１０に送信する（Ｓ１０９）。
【０１０９】
再生端末１０の送信制御部１６は、上記各データを受信すると、受信した各データをコーデック部１５に転送する。
【０１１０】
コーデック部１５は、符号化出力データを受けると、付与されたコンテンツ種別データ及び符号化指示データに基づいて、符号化出力データの復号化処理を行い、出力データを生成する（Ｓ１１０）。
【０１１１】
制御部１１は、コーデック部１５が出力データを生成すると、生成された出力データを再生部１７に転送する。
【０１１２】
再生部１７は、出力データを受けると、出力データに基づいて、利用者により選択されたコンテンツのスピーカ部１８を介した音声再生、或いは、表示部１３及びスピーカ部１８を介した動画再生を実行する（Ｓ１１１）。
【０１１３】
このように、コンテンツデータを購入した利用者が再生端末１０によりコンテンツ再生を行う場合、登録ＤＢサーバ４０が利用者の本人認証を行い、本人認証が有効であると、利用者の再生端末１０が通信確立すべきコンテンツサーバ３０を再生端末１０に通知し、再生端末１０からの通信確立要求時に、コンテンツサーバ３０が再生端末１０の端末認証を行い、端末認証が有効である再生端末１０とのみ通信確立するようにしたので、コンテンツデータを購入した利用者以外の第三者の再生端末に対して、コンテンツサーバ３０からコンテンツデータが送信されるのを防止できる。従って、第三者の再生端末にコンテンツデータが送信されることにより、コンテンツデータが複製され、コンテンツデータの著作権が侵害されるのを防止できる。
【０１１４】
次に、利用者が制御選択画面により、入力部１２を介して、例えば、記憶部１４に格納されている自ら作成したコンテンツデータの「記録」を選択した場合について説明を行う。
【０１１５】
図４は、本実施例のコンテンツ再生システムの記録動作フローチャートである。
【０１１６】
利用者が制御選択画面を参照して、入力部１２を介して、コンテンツデータの「記録」を選択入力すると（Ｓ２０１）、制御部１１は、コンテンツデータの「記録」が選択入力されたことを検知し、選択されたコンテンツデータの記録を指示するための制御指示信号を生成すると共に、生成された制御指示信号を選択指示部２１に転送する。
【０１１７】
選択指示部２１は、制御指示信号を受けると、利用者に対し、記憶部１４のコンテンツデータから利用者が記録したいコンテンツを識別するためのコンテンツ識別データ、記録対象のコンテンツが音楽及び動画のいずれかを示すコンテンツ種別データ、記録対象のコンテンツに対する符号化方式を示す符号化指示データを選択入力させるための記録指示選択画面情報を生成し、生成された記録指示選択画面情報に基づいて、記録指示選択画面を表示部１３に表示させる（Ｓ２０２）。
【０１１８】
引き続き、利用者が記録指示選択画面を参照して、入力部１２を介して、上述した記録したいコンテンツのコンテンツ識別データ、コンテンツ種別データ、符号化指示データをそれぞれ選択入力すると（Ｓ２０３）、制御部１１は、まず、上記選択入力された各データを記憶部１４に一時格納すると共に、コンテンツ識別データをデータ特定部１９に転送する。
【０１１９】
データ特定部１９は、コンテンツ識別データを受けると、コンテンツ識別データに基づいて、記憶部１４を参照し、一致するコンテンツ識別データが付与されたコンテンツデータを特定する（Ｓ２０４）。
【０１２０】
コーデック部１５は、データ特定部１９がコンテンツデータを特定すると、記憶部１４からコンテンツ種別データ、符号化指示データを取得すると共に、取得した両データに基づいて、特定されたコンテンツデータの符号化処理を実行し、符号化出力データを生成する（Ｓ２０５）。
【０１２１】
制御部１１は、コーデック部１５が符号化出力データを生成すると、符号化出力データを送信制御部１６に転送する。
【０１２２】
送信制御部１６は、符号化出力データを受けると、記憶部１４のコンテンツ種別データ、符号化指示データを付与した符号化出力データをコンテンツサーバ３０に送信する（Ｓ２０６）。
【０１２３】
コンテンツサーバ３０の制御部３１は、符号化指示データを受信すると、符号化出力データをデータ記録部３８に転送する。
【０１２４】
データ記録部３８は、符号化指示データを受けると、受け付けた符号化出力データをサーバ記憶部３２に記録する（Ｓ２０７）。
【０１２５】
制御部３１は、データ記録部３８がサーバ記憶部３２に符号化出力データを記録すると、サーバ記憶部３２への記録が完了したことを示す記録完了信号を再生端末１０に送信する（Ｓ２０８）。
【０１２６】
再生端末１０の制御部１１は、記録完了信号を受信すると、記録が完了したことを示す記録完了画面情報を生成すると共に、生成された記録完了画面情報に基づいて、記録完了画面を表示部１３に表示させる（Ｓ２０９）。これにより、再生端末１０の利用者は、選択したコンテンツデータがコンテンツサーバ３０のサーバ記憶部３２に記録されたことを確認できる。
【０１２７】
〈実施例の効果〉
本実施例のコンテンツ再生システムでは、コンテンツデータを購入した利用者が再生端末１０によりコンテンツ再生を行う場合、登録ＤＢサーバ４０が利用者の本人認証を行い、本人認証が有効であると、利用者の再生端末１０が通信確立すべきコンテンツサーバ３０を再生端末１０に通知し、再生端末１０からの通信確立要求時に、コンテンツサーバ３０が再生端末１０の端末認証を行い、端末認証が有効である再生端末１０とのみ通信確立するようにしたので、コンテンツデータを購入した利用者以外の第三者の再生端末に対して、コンテンツサーバ３０からコンテンツデータが送信されるのを防止できる。従って、第三者の再生端末にコンテンツデータが送信されることにより、コンテンツデータが複製され、コンテンツデータの著作権が侵害されるのを防止できる。
【０１２８】
また、コンテンツサーバ３０が利用者の再生端末１０にコンテンツデータを符号化処理した符号化出力データを送信することから、利用者の再生端末１０にコンテンツデータ自体が複製されるのを防止でき、利用者の再生端末１０から第三者の再生端末にコンテンツデータが転送されることにより、コンテンツデータが複製され、コンテンツデータの著作権が侵害されるのを防止できる。
【０１２９】
さらに、再生端末１０は、記憶部１４のコンテンツデータを符号化処理した符号化出力データを該通信確立されたコンテンツサーバ３０に送信し、コンテンツサーバ３０は、符号化出力データを受信すると、該受信した符号化出力データをサーバ記憶部３２に記録するようにしたので、撮影等された動画等のデータ容量が大きいコンテンツデータを格納するために多大な容量の記憶部３２を具備する必要がなく、再生端末が大型化するのを防止できる。
【産業上の利用可能性】
【０１３０】
上記実施例では、再生端末１０の利用者が所有するコンテンツサーバ３０を利用した構成としたが、これに限られることはなく、コンテンツ配信会社等が管理するコンテンツサーバ３０を利用する構成としてもよい。
【０１３１】
上記実施例では、再生端末１０の記憶部１４に既に格納されている自己で作成したコンテンツデータを符号化処理した符号化出力データをコンテンツサーバ３０のサーバ記憶部３２に記録する構成としたが、これに限られることはなく、例えば、再生端末１０にカメラ等からなる撮影部を具備させ、上述したように、利用者および再生端末１０自体の両認証処理を経て、再生端末１０およびコンテンツサーバ３０の通信確立が完了し、利用者により、コンテンツデータの「記録」が選択されると、再生端末１０は、撮影部による撮影を開始し、逐次撮影されるデータを符号化処理して符号化出力データを生成する毎に、符号化出力データをコンテンツサーバ３０に順次送信し、コンテンツサーバ３０では、送信される符号化出力データをメモリに逐次蓄積していき、再生端末１０から、例えば、撮影終了を示す信号を受信すると、蓄積されている符号化出力データからコンテンツデータを生成すると共に、該コンテンツデータをサーバ記憶部３２に記録する構成としてもよい。これにより、再生端末１０では、記憶部３２を具備する必要がなく、再生端末１０が大型化するのを防止できる。
【０１３２】
上記実施例では、再生端末１０の利用者により選択された「再生」および「記録」のいずれかを動作させる構成としたが、これに限られることはなく、コンテンツ再生中に、再生端末１０の記憶部１４に格納されているコンテンツデータを符号化処理した符号化出力データをコンテンツサーバ３０に送信し、コンテンツサーバ３０が受信した符号化出力データをサーバ記憶部３２に記録する構成としてもよい。また、コンテンツ再生中に、撮影部による撮影も実行し、逐次撮影されるデータを符号化処理して符号化出力データを生成する毎に、該符号化出力データをコンテンツサーバ３０に順次送信し、例えば、撮影が終了すると、上述したように、コンテンツサーバ３０が逐次蓄積された符号化出力データからコンテンツデータを生成し、該コンテンツデータをサーバ記憶部３２に記録する構成としてもよい。
【図面の簡単な説明】
【０１３３】
【図１】本発明のコンテンツ配信システムを示すブロック構成図。
【図２】本実施例のコンテンツ再生システムの動作フローチャート
【図３】本実施例のコンテンツ再生システムの再生動作フローチャート
【図４】本実施例のコンテンツ再生システムの記録動作フローチャート
【符号の説明】
【０１３４】
１０  再生端末
１１  制御部
１２  入力部
１３  表示部
１４  記憶部
１５  コーデック部
１６  送信制御部
１７  再生部
１８  スピーカ部
１９  データ特定部
２０  動作指示部
２１  選択指示部
３０  コンテンツサーバ
３１  制御部
３２  サーバ記憶部
３３  端末認証部
３４  選択指示部
３５  データ特定部
３６  コーデック部
３７  通信制御部
３８  データ記録部
４０  登録ＤＢサーバ
４１  制御部
４２  管理記憶部
４３  認証部
４４  サーバ特定部
４５  送信部
５０  インターネット
【図１】
0004735228.tif 000002
【図２】
0004735228.tif 000003
【図３】
0004735228.tif 000004
【図４】
0004735228.tif 000005